【手続補正書】
【提出日】令和1年6月26日(2019.6.26)
【手続補正１】
【補正対象書類名】明細書
【補正対象項目名】０００６
【補正方法】変更
【補正の内容】
【０００６】
本請求項１に係る発明は、システム開発の発注者となる依頼者と受注者となるプロジェクトマネージャーとを結びつけるとともに、プロジェクトマネージャーと開発者とを結びつけるシステム開発マッチングシステムであって、前記依頼者の情報が登録される依頼者データベースと、前記プロジェクトマネージャーの情報が登録されるプロジェクトマネージャーデータベースと、前記開発者の情報が登録される開発者データベースと、前記システム開発の内容についての案件情報が登録される案件データベースと、前記システム開発の案件の関係者情報が登録されるチームデータベースとを備え、前記案件情報が案件データベースに登録されると、前記案件の依頼者がプロジェクトマネージャーデータベースからプロジェクトマネージャーを選択自在になり、前記プロジェクトマネージャーが依頼者によって選択されると、選択されたプロジェクトマネージャーが開発者データベースから開発者を選択自在になり、前記開発者がプロジェクトマネージャーによって選択されると、選択したプロジェクトマネージャーの情報および選択された開発者の情報がチームデータベースに登録され、前記案件データベースが、前記プロジェクトマネージャーデータベースに登録された全てのプロジェクトマネージャーに対して閲覧自在なオープン設定と、前記プロジェクトマネージャーデータベースに登録されたプロジェクトマネージャーのうちの依頼者をフォローしているプロジェクトマネージャーおよび依頼者によって設定された条件を満たすプロジェクトマネージャーのみに対して閲覧自在なクローズ設定と、前記プロジェクトマネージャーデータベースに登録されたプロジェクトマネージャーのうちの依頼者から指名を受けたプロジェクトマネージャーのみに対して閲覧自在なシークレット設定とを切り換え自在な構成であることにより、前述した課題を解決するものである。
【手続補正２】
【補正対象書類名】明細書
【補正対象項目名】０００７
【補正方法】変更
【補正の内容】
【０００７】
本請求項２に係る発明は、システム開発の発注者となる依頼者と受注者となるプロジェクトマネージャーとを結びつけるとともに、プロジェクトマネージャーと開発者とを結びつけるシステム開発マッチングシステムであって、前記依頼者の情報が登録される依頼者データベースと、前記プロジェクトマネージャーの情報が登録されるプロジェクトマネージャーデータベースと、前記開発者の情報が登録される開発者データベースと、前記システム開発の内容についての案件情報が登録される案件データベースと、前記システム開発の案件の関係者情報が登録されるチームデータベースと、前記案件が終わったら契約相手を評価する評価手段とを備え、前記案件情報が案件データベースに登録されると、前記案件の依頼者がプロジェクトマネージャーデータベースからプロジェクトマネージャーを選択自在になり、前記プロジェクトマネージャーが依頼者によって選択されると、選択されたプロジェクトマネージャーが開発者データベースから開発者を選択自在になり、前記開発者がプロジェクトマネージャーによって選択されると、選択したプロジェクトマネージャーの情報および選択された開発者の情報がチームデータベースに登録され、前記評価手段は、前記プロジェクトマネージャーが開発者について評価自在であるとともに、前記開発者がプロジェクトマネージャーについて評価自在に設けられ、前記開発者についての評価が開発者データベースに記録され、前記プロジェクトマネージャーについての評価がプロジェクトマネージャーデータベースに記録される構成であることにより、前述した課題を解決するものである。
【手続補正３】
【補正対象書類名】明細書
【補正対象項目名】００１０
【補正方法】変更
【補正の内容】
【００１０】
本請求項５に係る発明は、依頼者の情報が登録される依頼者データベースと、プロジェクトマネージャーの情報が登録されるプロジェクトマネージャーデータベースと、開発者の情報が登録される開発者データベースと、システム開発の内容についての案件情報が登録される案件データベースと、システム開発の案件の関係者情報が登録されるチームデータベースとを備え、前記案件データベースが、前記プロジェクトマネージャーデータベースに登録された全てのプロジェクトマネージャーに対して閲覧自在なオープン設定と、前記プロジェクトマネージャーデータベースに登録されたプロジェクトマネージャーのうちの依頼者をフォローしているプロジェクトマネージャーおよび依頼者によって設定された条件を満たすプロジェクトマネージャーのみに対して閲覧自在なクローズ設定と、前記プロジェクトマネージャーデータベースに登録されたプロジェクトマネージャーのうちの依頼者から指名を受けたプロジェクトマネージャーのみに対して閲覧自在なシークレット設定とを切り換え自在な構成であり、システム開発の依頼者とプロジェクトマネージャーとを結びつけるとともに、プロジェクトマネージャーと開発者とを結びつけるプラットフォームサービス提供アプリケーションソフトウェアであって、前記案件情報が案件データベースに登録されたか否かを判定する案件登録判定ステップと、前記案件情報が案件データベースに登録された場合、前記案件の依頼者がプロジェクトマネージャーデータベースからプロジェクトマネージャーを選択自在にするプロジェクトマネージャー選択自在化ステップと、前記プロジェクトマネージャーが依頼者によって選択されたか否かを判定するプロジェクトマネージャー選択判定ステップと、前記プロジェクトマネージャーが依頼者によって選択された場合、選択されたプロジェクトマネージャーが開発者データベースから開発者を選択自在にする開発者選択自在化ステップと、前記開発者がプロジェクトマネージャーによって選択されたか否かを判定する開発者選択判定ステップと、前記開発者がプロジェクトマネージャーによって選択された場合、選択したプロジェクトマネージャーの情報および選択された開発者の情報をチームデータベースに登録するチーム登録ステップとを具備していることにより、前述した課題を解決するものである。
【手続補正４】
【補正対象書類名】明細書
【補正対象項目名】００１１
【補正方法】変更
【補正の内容】
【００１１】
本請求項６に係る発明は、依頼者の情報が登録される依頼者データベースと、プロジェクトマネージャーの情報が登録されるプロジェクトマネージャーデータベースと、開発者の情報が登録される開発者データベースと、システム開発の内容についての案件情報が登録される案件データベースと、システム開発の案件の関係者情報が登録されるチームデータベースと、前記案件が終わったら契約相手を評価する評価手段とを備え、前記評価手段は、前記プロジェクトマネージャーが開発者について評価自在であるとともに、前記開発者がプロジェクトマネージャーについて評価自在に設けられ、前記開発者についての評価が開発者データベースに記録され、前記プロジェクトマネージャーについての評価がプロジェクトマネージャーデータベースに記録される構成であり、システム開発の依頼者とプロジェクトマネージャーとを結びつけるとともに、プロジェクトマネージャーと開発者とを結びつけるプラットフォームサービス提供アプリケーションソフトウェアであって、前記案件情報が案件データベースに登録されたか否かを判定する案件登録判定ステップと、前記案件情報が案件データベースに登録された場合、前記案件の依頼者がプロジェクトマネージャーデータベースからプロジェクトマネージャーを選択自在にするプロジェクトマネージャー選択自在化ステップと、前記プロジェクトマネージャーが依頼者によって選択されたか否かを判定するプロジェクトマネージャー選択判定ステップと、前記プロジェクトマネージャーが依頼者によって選択された場合、選択されたプロジェクトマネージャーが開発者データベースから開発者を選択自在にする開発者選択自在化ステップと、前記開発者がプロジェクトマネージャーによって選択されたか否かを判定する開発者選択判定ステップと、前記開発者がプロジェクトマネージャーによって選択された場合、選択したプロジェクトマネージャーの情報および選択された開発者の情報をチームデータベースに登録するチーム登録ステップとを具備していることにより、前述した課題を解決するものである。
【手続補正５】
【補正対象書類名】明細書
【補正対象項目名】００１３
【補正方法】変更
【補正の内容】
【００１３】
本請求項１に係る発明のシステム開発マッチングシステムによれば、システム開発について依頼者にとっては、プロジェクトマネージャーを選んで案件を依頼するだけで、開発内容、開発規模、開発期間の条件などの案件情報に基づいてプロジェクトマネージャーによって開発者が選ばれ、チームとして登録されるため、依頼者にとっては、開発者の専門分野を詳しく理解しなくてもプロジェクトマネージャーを通じて案件をスムーズに依頼することができる。
つまり、このシステムにおいてプロジェクトマネージャーを窓口にして案件がチームに依頼されるため、依頼者は所望のシステムを得ることができる。
さらに、プロジェクトマネージャーにとっては、案件の内容を理解した上で案件に適した開発者を選択することで案件毎にチームが作り上げられるため、システムを確実に依頼者が望む品質にすることができる。
また、開発者にとっては、開発者自身の専門分野がプロジェクトマネージャーに理解された上で開発者が選ばれるため、開発者は、自身の専門分野の知識を十分に活かして依頼されたシステムを開発することができる。
さらに、システムの開発中の段階において、依頼者からの要望があった場合、要望はプロジェクトマネージャーを介するだけで開発者へ伝わるため、いくつもの仲介業者が介入する場合と比べて、依頼者の要望を早く、かつ、正確に開発者に伝えることができる。
また、システムの開発中の段階において、開発者から依頼者への問い合わせや質問があった場合、問い合わせや質問はプロジェクトマネージャーを介するだけで依頼者へ伝わるため、いくつもの仲介業者が介入する場合と比べて、開発者のからの問い合わせや質問を早く、かつ、正確に依頼者に伝えることができる。
つまり、依頼者と開発者との間のやり取りが早くて正確な分、開発開始から納品までの期間を短くすることができる。
さらに、依頼者が案件を極秘に進めたい場合などの状況に応じて案件データベースにアクセス可能なプロジェクトマネージャーが決まるため、依頼者は安心して案件を案件データベースに登録することができる。
【手続補正６】
【補正対象書類名】明細書
【補正対象項目名】００１４
【補正方法】変更
【補正の内容】
【００１４】
本請求項２に係る発明のシステム開発マッチングシステムによれば、システム開発について依頼者にとっては、プロジェクトマネージャーを選んで案件を依頼するだけで、開発内容、開発規模、開発期間の条件などの案件情報に基づいてプロジェクトマネージャーによって開発者が選ばれ、チームとして登録されるため、依頼者にとっては、開発者の専門分野を詳しく理解しなくてもプロジェクトマネージャーを通じて案件をスムーズに依頼することができる。
つまり、このシステムにおいてプロジェクトマネージャーを窓口にして案件がチームに依頼されるため、依頼者は所望のシステムを得ることができる。
さらに、プロジェクトマネージャーにとっては、案件の内容を理解した上で案件に適した開発者を選択することで案件毎にチームが作り上げられるため、システムを確実に依頼者が望む品質にすることができる。
また、開発者にとっては、開発者自身の専門分野がプロジェクトマネージャーに理解された上で開発者が選ばれるため、開発者は、自身の専門分野の知識を十分に活かして依頼されたシステムを開発することができる。
さらに、システムの開発中の段階において、依頼者からの要望があった場合、要望はプロジェクトマネージャーを介するだけで開発者へ伝わるため、いくつもの仲介業者が介入する場合と比べて、依頼者の要望を早く、かつ、正確に開発者に伝えることができる。
また、システムの開発中の段階において、開発者から依頼者への問い合わせや質問があった場合、問い合わせや質問はプロジェクトマネージャーを介するだけで依頼者へ伝わるため、いくつもの仲介業者が介入する場合と比べて、開発者のからの問い合わせや質問を早く、かつ、正確に依頼者に伝えることができる。
つまり、依頼者と開発者との間のやり取りが早くて正確な分、開発開始から納品までの期間を短くすることができる。
さらに、関係者についての評価次第で関係者に信用が付いて相手を初めて選ぶ際の参考情報となるため、選択される側にとってはモチベーションを保つことができる。
【手続補正７】
【補正対象書類名】明細書
【補正対象項目名】００１７
【補正方法】変更
【補正の内容】
【００１７】
本請求項５に係る発明のプラットフォームサービス提供アプリケーションソフトウェアによれば、請求項１に係る発明が奏する効果と同様、システム開発について依頼者にとっては、プロジェクトマネージャーを選んで案件を依頼するだけで、開発内容、開発規模、開発期間の条件などの案件情報に基づいてプロジェクトマネージャーによって開発者が選ばれ、チームとして登録されるため、依頼者にとっては、開発者の専門分野を詳しく理解しなくてもプロジェクトマネージャーを通じて案件をスムーズに依頼することができる。
つまり、このシステムにおいてプロジェクトマネージャーを窓口にして案件がチームに依頼されるため、依頼者は所望のシステムを得ることができる。
さらに、プロジェクトマネージャーにとっては、案件の内容を理解した上で案件に適した開発者を選択することで案件毎にチームが作り上げられるため、システムを確実に依頼者が望む品質にすることができる。
また、開発者にとっては、開発者自身の専門分野がプロジェクトマネージャーに理解された上で開発者が選ばれるため、開発者は、自身の専門分野の知識を十分に活かして依頼されたシステムを開発することができる。
さらに、システムの開発中の段階において、依頼者からの要望があった場合、要望はプロジェクトマネージャーを介するだけで開発者へ伝わるため、いくつもの仲介業者が介入する場合と比べて、依頼者の要望を早く、かつ、正確に開発者に伝えることができる。
また、システムの開発中の段階において、開発者から依頼者への問い合わせや質問があった場合、問い合わせや質問はプロジェクトマネージャーを介するだけで依頼者へ伝わるため、いくつもの仲介業者が介入する場合と比べて、開発者のからの問い合わせや質問を早く、かつ、正確に依頼者に伝えることができる。
つまり、依頼者と開発者との間のやり取りが早くて正確な分、開発開始から納品までの期間を短くすることができる。
さらに、依頼者が案件を極秘に進めたい場合などの状況に応じて案件データベースにアクセス可能なプロジェクトマネージャーが決まるため、依頼者は安心して案件を案件データベースに登録することができる。
【手続補正８】
【補正対象書類名】明細書
【補正対象項目名】００１８
【補正方法】変更
【補正の内容】
【００１８】
本請求項６に係る発明のプラットフォームサービス提供アプリケーションソフトウェアによれば、請求項２に係る発明が奏する効果と同様、システム開発について依頼者にとっては、プロジェクトマネージャーを選んで案件を依頼するだけで、開発内容、開発規模、開発期間の条件などの案件情報に基づいてプロジェクトマネージャーによって開発者が選ばれ、チームとして登録されるため、依頼者にとっては、開発者の専門分野を詳しく理解しなくてもプロジェクトマネージャーを通じて案件をスムーズに依頼することができる。
つまり、このシステムにおいてプロジェクトマネージャーを窓口にして案件がチームに依頼されるため、依頼者は所望のシステムを得ることができる。
さらに、プロジェクトマネージャーにとっては、案件の内容を理解した上で案件に適した開発者を選択することで案件毎にチームが作り上げられるため、システムを確実に依頼者が望む品質にすることができる。
また、開発者にとっては、開発者自身の専門分野がプロジェクトマネージャーに理解された上で開発者が選ばれるため、開発者は、自身の専門分野の知識を十分に活かして依頼されたシステムを開発することができる。
さらに、システムの開発中の段階において、依頼者からの要望があった場合、要望はプロジェクトマネージャーを介するだけで開発者へ伝わるため、いくつもの仲介業者が介入する場合と比べて、依頼者の要望を早く、かつ、正確に開発者に伝えることができる。
また、システムの開発中の段階において、開発者から依頼者への問い合わせや質問があった場合、問い合わせや質問はプロジェクトマネージャーを介するだけで依頼者へ伝わるため、いくつもの仲介業者が介入する場合と比べて、開発者のからの問い合わせや質問を早く、かつ、正確に依頼者に伝えることができる。
つまり、依頼者と開発者との間のやり取りが早くて正確な分、開発開始から納品までの期間を短くすることができる。
さらに、関係者についての評価次第で関係者に信用が付いて相手を初めて選ぶ際の参考情報となるため、選択される側にとってはモチベーションを保つことができる。
【手続補正９】
【補正対象書類名】特許請求の範囲
【補正対象項目名】全文
【補正方法】変更
【補正の内容】
【特許請求の範囲】
【請求項１】
システム開発の発注者となる依頼者と受注者となるプロジェクトマネージャーとを結びつけるとともに、プロジェクトマネージャーと開発者とを結びつけるシステム開発マッチングシステムであって、
前記依頼者の情報が登録される依頼者データベースと、
前記プロジェクトマネージャーの情報が登録されるプロジェクトマネージャーデータベースと、
前記開発者の情報が登録される開発者データベースと、
前記システム開発の内容についての案件情報が登録される案件データベースと、
前記システム開発の案件の関係者情報が登録されるチームデータベースとを備え、
前記案件情報が案件データベースに登録されると、前記案件の依頼者がプロジェクトマネージャーデータベースからプロジェクトマネージャーを選択自在になり、
前記プロジェクトマネージャーが依頼者によって選択されると、選択されたプロジェクトマネージャーが開発者データベースから開発者を選択自在になり、
前記開発者がプロジェクトマネージャーによって選択されると、選択したプロジェクトマネージャーの情報および選択された開発者の情報がチームデータベースに登録され、
前記案件データベースが、前記プロジェクトマネージャーデータベースに登録された全てのプロジェクトマネージャーに対して閲覧自在なオープン設定と、前記プロジェクトマネージャーデータベースに登録されたプロジェクトマネージャーのうちの依頼者をフォローしているプロジェクトマネージャーおよび依頼者によって設定された条件を満たすプロジェクトマネージャーのみに対して閲覧自在なクローズ設定と、前記プロジェクトマネージャーデータベースに登録されたプロジェクトマネージャーのうちの依頼者から指名を受けたプロジェクトマネージャーのみに対して閲覧自在なシークレット設定とを切り換え自在な構成であることを特徴とするシステム開発マッチングシステム。
【請求項２】
システム開発の発注者となる依頼者と受注者となるプロジェクトマネージャーとを結びつけるとともに、プロジェクトマネージャーと開発者とを結びつけるシステム開発マッチングシステムであって、
前記依頼者の情報が登録される依頼者データベースと、
前記プロジェクトマネージャーの情報が登録されるプロジェクトマネージャーデータベースと、
前記開発者の情報が登録される開発者データベースと、
前記システム開発の内容についての案件情報が登録される案件データベースと、
前記システム開発の案件の関係者情報が登録されるチームデータベースと、
前記案件が終わったら契約相手を評価する評価手段とを備え、
前記案件情報が案件データベースに登録されると、前記案件の依頼者がプロジェクトマネージャーデータベースからプロジェクトマネージャーを選択自在になり、
前記プロジェクトマネージャーが依頼者によって選択されると、選択されたプロジェクトマネージャーが開発者データベースから開発者を選択自在になり、
前記開発者がプロジェクトマネージャーによって選択されると、選択したプロジェクトマネージャーの情報および選択された開発者の情報がチームデータベースに登録され、
前記評価手段は、前記プロジェクトマネージャーが開発者について評価自在であるとともに、前記開発者がプロジェクトマネージャーについて評価自在に設けられ、
前記開発者についての評価が開発者データベースに記録され、前記プロジェクトマネージャーについての評価がプロジェクトマネージャーデータベースに記録される構成であることを特徴とするシステム開発マッチングシステム。
【請求項３】
前記案件データベースに登録された案件毎に応じて開発データを記憶するストレージをさらに有し、
前記ストレージの開発データが、前記チームデータベースに登録された関係者のみに対してアクセス自在に構成されていることを特徴とする請求項１または請求項２に記載のシステム開発マッチングシステム。
【請求項４】
前記開発者のプロフィール情報およびスケジュール情報が、前記開発者データベースに登録されていることを特徴とする請求項１乃至請求項３のいずれか１つに記載のシステム開発マッチングシステム。
【請求項５】
依頼者の情報が登録される依頼者データベースと、プロジェクトマネージャーの情報が登録されるプロジェクトマネージャーデータベースと、開発者の情報が登録される開発者データベースと、システム開発の内容についての案件情報が登録される案件データベースと、システム開発の案件の関係者情報が登録されるチームデータベースとを備え、前記案件データベースが、前記プロジェクトマネージャーデータベースに登録された全てのプロジェクトマネージャーに対して閲覧自在なオープン設定と、前記プロジェクトマネージャーデータベースに登録されたプロジェクトマネージャーのうちの依頼者をフォローしているプロジェクトマネージャーおよび依頼者によって設定された条件を満たすプロジェクトマネージャーのみに対して閲覧自在なクローズ設定と、前記プロジェクトマネージャーデータベースに登録されたプロジェクトマネージャーのうちの依頼者から指名を受けたプロジェクトマネージャーのみに対して閲覧自在なシークレット設定とを切り換え自在な構成であり、システム開発の依頼者とプロジェクトマネージャーとを結びつけるとともに、プロジェクトマネージャーと開発者とを結びつけるプラットフォームサービス提供アプリケーションソフトウェアであって、
前記案件情報が案件データベースに登録されたか否かを判定する案件登録判定ステップと、
前記案件情報が案件データベースに登録された場合、前記案件の依頼者がプロジェクトマネージャーデータベースからプロジェクトマネージャーを選択自在にするプロジェクトマネージャー選択自在化ステップと、
前記プロジェクトマネージャーが依頼者によって選択されたか否かを判定するプロジェクトマネージャー選択判定ステップと、
前記プロジェクトマネージャーが依頼者によって選択された場合、選択されたプロジェクトマネージャーが開発者データベースから開発者を選択自在にする開発者選択自在化ステップと、
前記開発者がプロジェクトマネージャーによって選択されたか否かを判定する開発者選択判定ステップと、
前記開発者がプロジェクトマネージャーによって選択された場合、選択したプロジェクトマネージャーの情報および選択された開発者の情報をチームデータベースに登録するチーム登録ステップとを具備していることを特徴とするプラットフォームサービス提供アプリケーションソフトウェア。
【請求項６】
依頼者の情報が登録される依頼者データベースと、プロジェクトマネージャーの情報が登録されるプロジェクトマネージャーデータベースと、開発者の情報が登録される開発者データベースと、システム開発の内容についての案件情報が登録される案件データベースと、システム開発の案件の関係者情報が登録されるチームデータベースと、前記案件が終わったら契約相手を評価する評価手段とを備え、前記評価手段は、前記プロジェクトマネージャーが開発者について評価自在であるとともに、前記開発者がプロジェクトマネージャーについて評価自在に設けられ、前記開発者についての評価が開発者データベースに記録され、前記プロジェクトマネージャーについての評価がプロジェクトマネージャーデータベースに記録される構成であり、システム開発の依頼者とプロジェクトマネージャーとを結びつけるとともに、プロジェクトマネージャーと開発者とを結びつけるプラットフォームサービス提供アプリケーションソフトウェアであって、
前記案件情報が案件データベースに登録されたか否かを判定する案件登録判定ステップと、
前記案件情報が案件データベースに登録された場合、前記案件の依頼者がプロジェクトマネージャーデータベースからプロジェクトマネージャーを選択自在にするプロジェクトマネージャー選択自在化ステップと、
前記プロジェクトマネージャーが依頼者によって選択されたか否かを判定するプロジェクトマネージャー選択判定ステップと、
前記プロジェクトマネージャーが依頼者によって選択された場合、選択されたプロジェクトマネージャーが開発者データベースから開発者を選択自在にする開発者選択自在化ステップと、
前記開発者がプロジェクトマネージャーによって選択されたか否かを判定する開発者選択判定ステップと、
前記開発者がプロジェクトマネージャーによって選択された場合、選択したプロジェクトマネージャーの情報および選択された開発者の情報をチームデータベースに登録するチーム登録ステップとを具備していることを特徴とするプラットフォームサービス提供アプリケーションソフトウェア。